(57)【要約】      （修正有）【課題】大きな力が不要で、手間がかからず、また、装着時や取外しに車体係止フックが当たったり、車体係止フックによって車体に傷を付けることもなく、かつ、吸盤のように経年劣化や埃等によって吸着力が弱くなることも無く、吸盤の跡が自動車のフロントガラス等に残らないようにした自動車のフロントガラス用カバーを提供する。【解決手段】自動車のフロントガラスを覆うカバー１であって、カバー本体１１の上部には自動車の車体に着脱可能に吸着するための磁石１２が設けられ、カバー本体の下部には連結紐１３を介して自動車のワイパー２３を挟持するクリップ等のワイパー挟持手段１４が設けられている。【選択図】図２
0003216052.tif 000002
【実用新案登録請求の範囲】
【請求項１】
自動車のフロントガラスを覆うカバー本体を有する自動車のフロントガラス用カバーであって、
前記カバー本体の上部には自動車の車体に磁力で着脱可能に吸着するための磁石が設けられている一方、前記カバー本体の下部には連結紐を介して自動車のワイパーを挟持するクリップ等のワイパー挟持手段が設けられていることを特徴とする自動車のフロントガラス用カバー。
【請求項２】
請求項１記載の自動車のフロントガラス用カバーにおいて、さらに、前記カバー本体の左右両側には、それぞれ、自動車の前席ドアに挟まる長さを有し、先端部に径が大きい結び目またはダンゴ部を有する補助紐が設けられていることを特徴とする自動車のフロントガラス用カバー。
【考案の詳細な説明】
【技術分野】
【０００１】
本考案は、自動車のフロントガラスの外側に装着され、夏場においては強い太陽光線から自動車内の温度の上昇を抑えるための日除け機能を有し、冬場においては屋外駐車の際にフロントガラスへの雪や霜の付着防止機能や、フロントガラスの凍結防止機能を有する自動車のフロントガラス用カバーに関する。
【背景技術】
【０００２】
従来より、夏場の炎天下等における自動車の駐停車時の車内温度の上昇防止や、冬場の降雪地等におけるフロントガラスへの雪や霜の付着を防止するため、車体係止フックや吸盤でフロントガラス用カバーを固定する各種の自動車のフロントガラス用カバーが提案されている（例えば、特許文献１，２参照。）。
【先行技術文献】
【特許文献】
【０００３】
【特許文献１】特開２００５‐３６１６０号公報
【特許文献２】実用新案登録第３１０１２８２号公報
【考案の概要】
【考案が解決しようとする課題】
【０００４】
しかしながら、前述の特許文献１に記載の自動車のフロントガラス用カバーでは、フロントガラス用カバーの周縁部に弾性伸縮部材であるゴム等を介して設けた車体係止フックをダイヤハウス等自動車の一部に引っ掛けて固定するように構成しているため、ゴムを引っ張りながら車体係止フックの引っ掛け作業に大きな力が必要で手間がかかると共に、フロントガラス用カバーの装着時や取外しに車体係止フックが当たったり、車体係止フックによって車体に傷を付け易いという問題がある。
【０００５】
また、前述の特許文献２に記載の自動車のフロントガラス用カバーでは、フロントガラス用カバーの裏側に設けた吸盤を窓に吸着させて固定するように構成しているため、吸着力が弱く、強風でフロントガラス用カバーが飛ばされたり、吸盤の跡が自動車のフロントガラス等に残る、という問題がある。
【０００６】
そこで、本考案はこのような問題点に鑑みなされたもので、大きな力が不要で、手間がかからず、また、装着時や取外しに車体係止フックが当たったり、車体係止フックによって車体に傷を付けることもなく、かつ、吸盤のように経年劣化や埃等によって吸着力が弱くなることも無く、吸盤の跡が自動車のフロントガラス等に残らないようにした自動車のフロントガラス用カバーを提供することを目的とする。
【課題を解決するための手段】
【０００７】
前記課題を解決するため、本考案に係る自動車のフロントガラス用カバーは、自動車のフロントガラスを覆うカバー本体を有する自動車のフロントガラス用カバーであって、前記カバー本体の上部には自動車の車体に磁力で着脱可能に吸着するための磁石が設けられている一方、前記カバー本体の下部には連結紐を介して自動車のワイパーを挟持するクリップ等のワイパー挟持手段が設けられていることを特徴とする。
また、本考案に係る自動車のフロントガラス用カバーは、さらに、前記カバー本体の左右両側には、それぞれ、自動車の前席ドアに挟まる長さを有し、先端部に径が大きい結び目またはダンゴ部を有する補助紐が設けられていることも特徴とする。
【考案の効果】
【０００８】
本考案に係る自動車のフロントガラス用カバーでは、カバー本体上部は、磁石によって簡単に自動車の車体に吸着できる一方、カバー本体下部は、連結紐を介してカバー本体に連結されたクリップ等のワイパー挟持手段によって自動車のワイパーを挟持して固定できる。
そのため、本考案に係る自動車のフロントガラス用カバーによれば、ゴム等を引っ張って伸ばしてタイヤハウス等に車体係止フックを引っ掛ける必要がなくなり、大きな力が不要で、手間がかからず、また、装着時や取外しに車体係止フックが当たったり、車体係止フックによって車体に傷を付けることもなく自動車に装着したり、取外すことができる。
また、磁石とクリップ等のワイパー挟持手段で自動車に装着するので、吸盤のように吸着力が弱くなることも防止できると共に、吸盤の跡も自動車のフロントガラス等に残さずに自動車に装着することができる。
【図面の簡単な説明】
【０００９】
【図１】本考案に係る実施形態の自動車のフロントガラス用カバーを自動車に装着した状態を示す平面図である。
【図２】本考案に係る実施形態の自動車のフロントガラス用カバーを自動車に装着した状態を示す拡大平面図である。
【図３】本考案に係る実施形態の自動車のフロントガラス用カバーの表側を示す平面図である。
【図４】本考案に係る実施形態の自動車のフロントガラス用カバーの表側を示す裏面図である。
【図５】図４におけるＡ部分を拡大して示す部分断面拡大平面図である。
【図６】図４におけるＢ部分を拡大して示す部分拡大平面図である。
【考案を実施するための形態】
【００１０】
次に、本考案に係る自動車のフロントガラス用カバーの実施の形態について説明する。尚、下記に説明する実施形態の自動車のフロントガラス用カバーはあくまで本発明の一例であり、本発明は下記の実施形態に限定されるものではなく、本発明の技術思想の範囲内で適宜変更可能である。
【００１１】
本考案に係る実施形態の自動車のフロントガラス用カバー１は、図１や図２に示すように、自動車２のフロントガラス２１を覆うように装着して、夏場においては強い太陽光線から自動車２内の温度の上昇を抑えるための日除け機能を有し、冬場においては屋外駐車の際にフロントガラス２１への雪や霜の付着を防止したり、フロントガラス２１の凍結を防止するもので、フロントガラス２１全体を覆うカバー本体１１を有している。
【００１２】
カバー本体１１は、塩化ビニール等の合成樹脂で厚くコーティングしたり、またはフィルムをラミネートした０．３５ｍｍ厚程度のターポリン等の防水性および防炎性が高く、ホワイトやブルー、銀色等の紫外線をカットしたり反射するシートを１枚または複数枚重ねて縫い合わせて構成されており、カバー本体１１の上部には自動車２の車体である天井２２に着脱可能に吸着するための磁石１２が設けられている一方、カバー本体１１の下部にはナイロン製等で比較的伸び難い連結紐１３，１３を介して自動車２のワイパー２３，２３それぞれを挟持するクリップ等のワイパー挟持手段１４，１４が設けられている。尚、カバー本体１１の周囲（縁）は、補強等のため二重等にした上で適宜縫い付け等が施されている。
【００１３】
磁石１２は、図５に示すように、自動車２のフロントガラス２１の広さに応じて適宜間隔で例えば２個〜６個等の複数設けられており、磁石１２が自動車２のフロントガラス２１や車体２２に接触して傷を付けないようカバー本体１１を二重等に重ねた間に挟んで包み込むようにして設けたり、磁石１２を別途袋等に入れた後、テープや接着剤等で袋ごとカバー本体１１に貼り付ける等して設けている。尚、磁石１２として、柔らかいマグネットシートを使用しても良い。
【００１４】
ワイパー挟持手段１４，１４は、図６に示すように、クリップ等と同様に常時スプリングやバネ１４ａ等で付勢されており、本考案では少なくてもカバー本体１１を介して自動車２のワイパー２３，２３を挟持できる程度の大きさや強度を有するものを使用している。
【００１５】
また、カバー本体１１の左右両側には、それぞれ、連結紐１３，１３と同様にナイロン製等で比較的伸び難い素材で出来ており、自動車２の前席ドア２４，２４に挟まる長さ、例えば２５ｃｍ程度の長さを有する補助紐１５が適宜間隔で３個ずつ設けており、補助紐１５の先端部および後端部にはそれぞれ補助紐１５やカバー本体１１に設けられた補助紐１５が通る通し孔よりも径が大きいダンゴ部１６が設けられている。尚、この実施形態では、ダンゴ部１６を設けているが、補助紐１５の先端を結んだ結び目でも勿論良い。
【００１６】
そのため、以上のように構成された本考案の自動車のフロントガラス用カバー１を自動車２のフロントガラス２１に装着する場合は、図１や図２に示すように、カバー本体１１の下部に自動車２のワイパー２３，２３が位置するように自動車２のフロントガラス２１外側にカバー本体１１を被せる。
【００１７】
すると、カバー本体１１上部は磁石１２が自動車２の車体２２の天井部分等に磁力で吸着するので、使用者はカバー本体１１下部に連結紐１３，１３を介して設けられたクリップ等のワイパー挟持手段１４，１４でカバー本体１１の上から自動車２のワイパー２３，２３をそれぞれ挟持する。これで、カバー本体１１の上部と下部を自動車２に固定することができる。
【００１８】
そして必要あれば、カバー本体１１の左右両側の補助紐１５それぞれを左右の前席ドア２４，２４と自動車２の車体との間で挟み、補助紐１５先端のダンゴ部１６を自動車２の車内に入るようにしてカバー本体１１の左右両側を固定する。
【００１９】
以上説明したように、本考案に係る実施形態の自動車のフロントガラス用カバー１は、自動車２のフロントガラス２１に０．３５ｍｍ厚程度のターポリン等の防災性および防水性の高いシートから構成されたカバー本体１１に磁石１２を２〜６個包み込み、自動車２に傷が付かない方法をとってあり、カバー本体１１を自動車２のルーフパネル（フロントガラス２１の上である自動車２の屋根）に磁石１２で吸着によりズレ落ちせずセット出来る。またカバー本体１１の両側には補助紐１５を約２５ｃｍ、６ケ所付けてあり、セットした後に補助紐１５が垂れ下がり、自動車２の両側の前席ドア２４，２４を開け閉めて補助紐１５を挟み込む。カバー本体１１の下側はワイパー２３，２３の上まで掛けて、カバー本体１１の末端に連結紐１３，１３を通してクリップ等のワイパー挟持手段１４，１４を取り付け、そのワイパー挟持手段１４，１４でカバー本体１１の上からはワイパー２３，２３を挟む。従って、強風にも耐え、着脱も簡単になる。
【００２０】
つまり、本考案に係る実施形態の自動車２のフロントガラス用カバー１では、カバー本体１１上部の磁石１２と、カバー本体１１下部のクリップ等のワイパー挟持手段１４，１４によって自動車２のフロントガラス２１上部の車体２２やフロントガラス２１下部のワイパー２３，２３に固定するので、着脱もワンタッチで、非常に簡単かつ確実にセットすることができる。
【００２１】
その結果、夏場においては野外で強い太陽光線から自動車２内の温度の上昇を抑え、炎天下の日除け機能を確実に発揮できると共に、冬場においては屋外駐車の際にフロントガラス２１への雪や霜の付着や、フロントガラス２１の凍結を簡単かつ確実に防止することができる。
【００２２】
特に、本考案に係る実施形態の自動車２のフロントガラス用カバー１では、磁石１２とクリップ等のワイパー挟持手段１４，１４でフロントガラス２１の上下に固定するので、カバー本体１１がフロントガラス２１からズレ落ちたりせずに簡単にセットすることができる。また、本考案に係る実施形態の自動車２のフロントガラス用カバー１では、ゴム等を伸ばしてタイヤハウス等に車体係止フックを引っ掛ける必要もないので、大きな力が不要で、手間がかからず、また、装着時や取外しに車体係止フックが自動車２の車体２２に当たって自動車２に傷を付けることもなく自動車２に着脱することが可能であり、使い勝手が非常に良い。
【００２３】
また、ワイパー挟持手段１４，１４は、カバー本体１１の上から自動車２のワイパー２３，２３それぞれを挟持することが出来るので、ワイパー挟持手段１４，１４が自動車２のフロンドウインドウ２１や車体２２に当たって自動車２に傷を付けることも防止できる。
【００２４】
また、本考案に係る実施形態の自動車２のフロントガラス用カバー１では、吸盤を使用していないので、吸盤のように経年劣化や埃等によって吸着力が弱くなることも無くなり、また吸盤の跡が自動車のフロントガラス２１に残さず、確実かつ簡単に自動車２のフロントガラス２１を覆うことができる。
【００２５】
また、本考案に係る実施形態の自動車２のフロントガラス用カバー１では、必要あれば、カバー本体１１の左右両側の補助紐１５それぞれを左右の前席ドア２４，２４と自動車２の車体との間で挟み、補助紐１５先端のダンゴ部１６を自動車２の車内に入るようにしてカバー本体１１の左右両側を固定することができる。
【００２６】
すると、カバー本体１１の左右両側の補助紐１５の前後両端部にはそれぞれ補助紐１５およびカバー本体１１の補助紐通し部よりも径が大きいダンゴ部１６が設けられているので、補助紐１５先端のダンゴ部１６が自動車２の車内に入って前席ドア２４，２４が閉まることによってカバー本体１１の左右両側も確実に留めることができ、風対策になると共に、自動車２の鍵を閉めることによって前席ドア２４，２４等が開かなくなるので、フロントガラス用カバー１の盗難も確実に防止できる。
【符号の説明】
【００２７】
１  自動車のフロントガラス用カバー
１１  カバー本体
１２  磁石
１３  連結紐
１４  ワイパー挟持手段
１５  補助紐
１６  ダンゴ部
２  自動車
２１  フロントガラス
２２  車体
２３  ワイパー
２４  前席ドア
【図１】
0003216052.tif 000003
【図２】
0003216052.tif 000004
【図３】
0003216052.tif 000005
【図４】
0003216052.tif 000006
【図５】
0003216052.tif 000007
【図６】
0003216052.tif 000008